(57)【特許請求の範囲】
【請求項１】
梁材と柱材とによって骨組みが形成される建物ユニットを横方向に並べて、隣接する柱材同士を連結する建物ユニットの連結構造であって、
前記柱材の上端面にはボルト穴が設けられるとともに、その柱材に接続される前記梁材の上面側には梁側穴が設けられており、
前記隣接する柱材同士を連結する際に使用される連結プレートは、
連結させる複数の柱材及びそれらの柱材にそれぞれ接続される梁材の上に配置される平面視略長方形の鋼板によって成形される板状のプレート本体と、
前記ボルト穴に対峙させるために前記プレート本体に穿孔される柱用穴部と、
前記梁側穴に対峙させるために前記プレート本体に穿孔される梁用穴部と、
前記プレート本体の１辺から略直交する方向に立ち上げられる立壁部と、
前記プレート本体の各建物ユニット側の縁部にそれぞれ立ち上げられるリブ部とを備え、
前記連結プレートの前記柱用穴部と前記ボルト穴とを、ボルトとバネ座金と座金を使って接合させるとともに、前記梁用穴部と前記梁側穴とをボルト及びナットによって締結させることを特徴とする建物ユニットの連結構造。
【請求項２】
前記柱用穴部及び前記梁用穴部は、前記プレート本体にそれぞれ２つずつ又は４つずつ設けられることを特徴とする請求項１に記載の建物ユニットの連結構造。
【請求項３】
梁材と柱材とによって骨組みが形成される建物ユニットを横方向に並べて、隣接する柱材同士を連結することで請求項１又は２に記載の建物ユニットの連結構造を構築する建物ユニットの連結方法であって、
前記建物ユニットを横方向に並べる工程と、
隣接する柱材の上端面に設けられたボルト穴の中で、少なくとも一つのボルト穴と前記柱用穴部とが対峙するように前記連結プレートを設置する工程と、
前記ボルト穴に対峙した前記柱用穴部に対してバネ座金及び座金が装着されたボルトをねじ込んで仮固定する工程と、
前記梁用穴部及び前記梁側穴に位置調整棒を挿し込んで一方の建物ユニットの位置を微調整する工程と、
対峙した残りの前記柱用穴部と前記ボルト穴及び前記梁用穴部と前記梁側穴をボルト及びボルトとナットで接合する工程とを備えたことを特徴とする建物ユニットの連結方法。
【請求項４】
前記建物ユニットの位置を微調整した後に、屋根フレームを固定させるための固定金具の連結側穴部と前記柱用穴部と前記ボルト穴をボルトで接合する工程を備えたことを特徴とする請求項３に記載の建物ユニットの連結方法。
【請求項５】
梁材と柱材とによって骨組みが形成される建物ユニットを横方向に並べて、隣接する柱材同士を連結することで請求項１又は２に記載の建物ユニットの連結構造を構築する建物ユニットの連結方法であって、
前記建物ユニットを横方向に並べる工程と、
隣接する柱材の上端面に設けられたボルト穴の中で、少なくとも一つのボルト穴と前記柱用穴部とが対峙するように前記連結プレートを設置する工程と、
前記ボルト穴に対峙した前記柱用穴部に対してバネ座金及び座金が装着されたボルトをねじ込んで仮固定する工程と、
前記梁用穴部及び前記梁側穴に位置調整棒を挿し込んで一方の建物ユニットの位置を微調整する工程と、
対峙した残りの前記柱用穴部と前記ボルト穴及び前記梁用穴部と前記梁側穴をボルト及びボルトとナットで接合する工程と、
前記立壁部に屋根フレームを固定する工程とを備えたことを特徴とする建物ユニットの連結方法。
【発明の詳細な説明】
【技術分野】
【０００１】
本発明は、複数の建物ユニットを横方向に並べて連結させる際に使用される連結プレート、並びにそれを使って構築される建物ユニットの連結構造及び建物ユニットの連結方法に関するものである。
【背景技術】
【０００２】
梁材と柱材とによって骨組みが形成される工場で製作された建物ユニットを、横方向及び縦方向に積み重ねて構築されるユニット建物が知られている（特許文献１−４など参照）。
【０００３】
特許文献１−４には、横方向に隣接させる建物ユニット同士、及び上下に積み重ねられる建物ユニット同士を、プレートとピン（又はボルト）で連結させる連結構造が開示されている。
【０００４】
これらの連結構造では、柱の上端面から上方に突出させたピン又はボルトを、プレートの穴に通すことで連結が行われるため、その前提として、それぞれの建物ユニットが正確な位置に設置されていることが条件となる。
【先行技術文献】
【特許文献】
【０００５】
【特許文献１】特許第３８２０２９２号公報
【特許文献２】実公昭５２−４７２９８号公報
【特許文献３】特許第３９２４３５７号公報
【特許文献４】特開平１１−２５６６９６号公報
【特許文献５】特開２０１２−１９３５９９号公報
【発明の概要】
【発明が解決しようとする課題】
【０００６】
しかしながら、建物ユニットはクレーンで吊り下げられて設置されるため、正確な位置に初めから設置することが難しく、設置誤差が発生する。この設置誤差を修正するために、特許文献５（段落００５７−００６０、図８，９参照）に開示されたような面調整治具が使用される場合がある。これに対して、設置誤差を修正するために、主接合に利用されるネジ溝が刻まれた柱の穴を利用すると、ネジ溝を損傷するおそれがある。
【０００７】
そこで、本発明は、主接合に利用される柱材の上端面に設けられたボルト穴を損傷させることなく設置誤差を修正して、横方向に並べられた建物ユニット同士を連結させることができる連結プレート、並びにそれを使って構築される建物ユニットの連結構造及び建物ユニットの連結方法を提供することを目的としている。
【課題を解決するための手段】
【０００８】
前記目的を達成するために、本発明の連結プレートは、梁材と柱材とによって骨組みが形成される建物ユニットを横方向に並べて、隣接する柱材同士を連結する際に使用される連結プレートであって、連結させる複数の柱材及びそれらの柱材にそれぞれ接続される梁材の上に配置される板状のプレート本体と、前記柱材の上端面に設けられたボルト穴に対峙させるために前記プレート本体に穿孔される柱用穴部と、前記梁材の上面側に設けられた梁側穴に対峙させるために前記プレート本体に穿孔される梁用穴部とを備えたことを特徴とする。
【０００９】
ここで、前記柱用穴部及び前記梁用穴部は、前記プレート本体にそれぞれ２つずつ又は４つずつ設けることができる。また、前記プレート本体の少なくとも１辺に、略直交する方向に立ち上げられる立壁部を設けることができる。
【００１０】
さらに、本発明の建物ユニットの連結構造は、梁材と柱材とによって骨組みが形成される建物ユニットを横方向に並べて、隣接する柱材同士を連結する建物ユニットの連結構造であって、前記柱材の上端面にはボルト穴が設けられるとともに、その柱材に接続される前記梁材の上面側には梁側穴が設けられており、上記の連結プレートの前記柱用穴部と前記ボルト穴とをボルトで接合させるとともに、前記梁用穴部と前記梁側穴とをボルト及びナットによって締結させることを特徴とする。
【００１１】
ここで、前記連結プレートの少なくとも一つの前記柱用穴部の上に、屋根フレームを固定させるための固定金具を重ね、前記固定金具の連結側穴部と前記柱用穴部と前記ボルト穴とをボルトで接合させる構成とすることができる。
【００１２】
そして、本発明の建物ユニットの連結方法は、梁材と柱材とによって骨組みが形成される建物ユニットを横方向に並べて、隣接する柱材同士を上記の連結プレートを使用して連結する建物ユニットの連結方法であって、前記建物ユニットを横方向に並べる工程と、隣接する柱材の上端面に設けられたボルト穴の中で、少なくとも一つのボルト穴と前記柱用穴部とが対峙するように前記連結プレートを設置する工程と、前記ボルト穴に対峙した前記柱用穴部にボルトをねじ込んで仮固定する工程と、前記梁用穴部及び前記梁側穴に位置調整棒を挿し込んで一方の建物ユニットの位置を微調整する工程と、対峙した残りの前記柱用穴部と前記ボルト穴及び前記梁用穴部と前記梁側穴をボルト及びボルトとナットで接合する工程とを備えたことを特徴とする。
【００１３】
ここで、前記建物ユニットの位置を微調整した後に、屋根フレームを固定させるための固定金具の連結側穴部と前記柱用穴部と前記ボルト穴をボルトで接合する工程を備えた構成とすることもできる。
【００１４】
一方、前記プレート本体の少なくとも１辺に、略直交する方向に立ち上げられる立壁部が設けられている場合は、前記立壁部に屋根フレームを固定する工程を続けて行うことができる。
【発明の効果】
【００１５】
このように構成された本発明の連結プレートは、連結させる複数の柱材及び梁材の上に配置される板状のプレート本体と、それに穿孔される柱用穴部及び梁用穴部とを備えている。
【００１６】
このため、梁用穴部を利用して建物ユニットを移動させることで、主接合に利用される柱材の上端面に設けられたボルト穴を損傷させることなく、設置誤差を修正することができる。
【００１７】
また、２つずつ又は４つずつ柱用穴部及び梁用穴部が設けられた連結プレートによって、２体又は４体の隣接する建物ユニットを１枚の部材によって連結させることができる。
【００１８】
さらに、プレート本体の少なくとも１辺に略直交する方向に立ち上げられる立壁部が設けられていれば、屋根にかかる風圧力を一体の部材で受けることができる。
【００１９】
また、これらの連結プレートを使用することで、横方向に並べられた建物ユニット同士を連結させた建物ユニットの連結構造を、柱用穴部と柱材の上端面のボルト穴と合致させた状態で確実に構築することができる。
【００２０】
さらに、屋根フレームを固定させるための固定金具を連結プレートを介して一本のボルトで柱に接合させることで、屋根フレームに作用した吹き上げ力を建物ユニットの柱に伝達させることができる。
【００２１】
そして、これらの連結プレートを使用することで、主接合に利用される柱材の上端面に設けられたボルト穴を損傷させることなく建物ユニットを移動させて、迅速に建物ユニット同士を連結することができる。また、連結作業と一緒に屋根フレームの固定も行うことができる。
【図面の簡単な説明】
【００２２】
【図１】本実施の形態の第１の建物ユニットの連結方法を説明するための斜視図である。
【図２】建物ユニットの構成を説明する斜視図である。
【図３】ユニット建物の概略構成及び連結構造の位置を説明する斜視図である。
【図４】シノを使って建物ユニットの位置修正を行う工程を示した説明図である。
【図５】第１の建物ユニットの連結構造の構成を説明するための斜視図である。
【図６】本実施の形態の第２の建物ユニットの連結方法を説明するための斜視図である。
【図７】シノを使って建物ユニットの位置修正を行う工程を示した説明図である。
【図８】第２の建物ユニットの連結構造の構成を説明するための斜視図である。
【図９】本実施の形態の第３の建物ユニットの連結方法を説明するための斜視図である。
【図１０】第３の建物ユニットの連結構造の構成を説明するための斜視図である。
【図１１】実施例１の建物ユニットの連結構造の構成を説明するための斜視図である。
【図１２】実施例２の建物ユニットの連結構造の構成を説明するための斜視図である。
【発明を実施するための形態】
【００２３】
以下、本発明の実施の形態について図面を参照して説明する。図１は、本実施の形態の第１の建物ユニットの連結構造及び連結方法を説明するための斜視図、図２，３は建物ユニット１及びそれによって組み立てられるユニット建物１０を説明する斜視図である。
【００２４】
まず、ユニット建物１０の構成から説明すると、このようなユニット建物１０は、図３に示すように、工場で製作される複数の建物ユニット１，・・・を建築現場に搬送し、基礎（図示省略）の上に横方向に並べて１階部を構築するとともに、それらの（下階）建物ユニット１，・・・の上に別の（上階）建物ユニット１，・・・を積み上げることで上層階を構築していく。
【００２５】
一方、ユニット建物１０を構成する建物ユニット１は、図２に示すように、四隅に配置される柱材としての柱１１，・・・と、その柱１１，・・・の下端間に差し渡される梁材としての床梁１２，１２Ａ，・・・と、柱１１，・・・の上端間に架け渡される梁材としての天井梁１３，１３Ａ，・・・とによってボックス形のラーメン構造体（骨組構造体）に形成される。
【００２６】
ここで、柱１１は角形鋼管、床梁１２，１２Ａ及び天井梁１３，１３Ａは断面視コ字形の溝形鋼材によって形成されている。例えば、図１に示すように、天井梁１３の上面は上フランジ１３１によって形成され、下面は上フランジ１３１と略平行な下フランジ１３２によって形成され、側面は上フランジ１３１と下フランジ１３２の側縁間を繋ぐウェブ１３３によって形成される。
【００２７】
また、柱１１と床梁１２（１２Ａ）及び天井梁１３（１３Ａ）は、接合枠材１４（１４Ａ）を介して溶接接合される。この接合枠材１４，１４Ａは、「ジョイントピース」ともいう。
【００２８】
さらに、図２に示すように、天井梁１３，１３間には平行に天井根太１６，・・・が架け渡され、天井根太１６，・・・の下面には天井板１８が張り付けられる。また、床梁１２，１２間には、平行に床小梁１５，・・・が差し渡され、床小梁１５，・・・の上面には床板１７が張り付けられる。ここで、床小梁１５は、取付金具１５ａを介して床梁１２に固定される。
【００２９】
そして、柱１１の上端面は、図１に示すように、鋼板などの長方形（正方形）の蓋板によって塞がれており、その蓋板の中央にはボルト穴１１１が設けられる。
【００３０】
このボルト穴１１１の内周面には、ボルト４をねじ込むためのネジ溝が刻まれている。詳細には、蓋板の下面にナット（図示省略）が溶接固定されており、このナットのネジ溝がボルト穴１１１となる。
【００３１】
また、桁方向に延びる天井梁１３と柱１１とを接続させる接合枠材１４の上面には、梁側穴１４１が穿孔される。この梁側穴１４１は、梁材の上面側に設けられた穴であって、ネジ溝は刻まれていない。
【００３２】
そして、本実施の形態では、図３に示した３種類の位置の建物ユニットの連結構造２Ａ−２Ｃについて説明する。ここで、第１の建物ユニットの連結構造２Ａは、隣接する建物ユニット１，１の妻側の連結構造である。
【００３３】
また、第２の建物ユニットの連結構造２Ｂは、隣接する建物ユニット１，１の桁側の連結構造である。さらに、第３の建物ユニットの連結構造２Ｃは、４つの建物ユニット１，１，１，１の隅角部が集まる箇所の連結構造である。
【００３４】
まず、第１の建物ユニットの連結構造２Ａについて、図１，４，５を参照しながら説明する。この連結構造２Ａを構築するには、連結プレート３Ａが使用される。
【００３５】
この連結プレート３Ａは、連結させる２本の柱１１，１１及びそれらの柱１１，１１にそれぞれ接続される天井梁１３，１３の上に跨って配置される板状のプレート本体３１Ａによって形成される。
【００３６】
このプレート本体３１Ａは、正方形に近い長方形の鋼板によって形成される。このプレート本体３１Ａには、柱１１，１１の上端面に設けられたボルト穴１１１，１１１に対峙させるための柱用穴部３２，３２が、一方の縁部付近にそれぞれ穿孔される。
【００３７】
さらに、プレート本体３１Ａには、天井梁１３，１３の上面側となる接合枠材１４，１４に設けられた梁側穴１４１，１４１に対峙させるための梁用穴部３３，３３が、他方の縁部付近にそれぞれ穿孔される。
【００３８】
柱用穴部３２とボルト穴１１１との接合は、ボルト４をボルト穴１１１にねじ込むことによって行われる。このボルト４には、座金４１と、バネ座金４２とが装着される。
【００３９】
一方、梁用穴部３３と梁側穴１４１との接合は、ボルト５１とナット５２の締結によって行われる。このボルト５１には、座金５３，５３と、バネ座金５４とが装着される。
【００４０】
続いて、図３に示すように２階として左右に隣接して設置された建物ユニット１，・・・同士の連結方法について説明する。まず、建物ユニット１，１の妻側の連結構造となる第１の建物ユニットの連結構造２Ａの連結方法について説明する。
【００４１】
図１に拡大して示すように、連結構造２Ａの周辺では、柱１１，１１が隣接して配置されるとともに、連結される天井梁１３，１３が隣接して略平行に配置されている。
【００４２】
そこで、連結プレート３Ａを、一方の建物ユニット１（図では左側）の柱１１のボルト穴１１１に、柱用穴部３２の位置を合わせて降ろす。この柱用穴部３２には、バネ座金４２と座金４１を装着したボルト４を挿し込み、ボルト４の先端をボルト穴１１１にねじ込む。
【００４３】
このとき、同じ建物ユニット１の接合枠材１４の梁側穴１４１と、連結プレート３Ａの梁用穴部３３の位置も一致しているため、下方から座金５３を装着したボルト５１を梁側穴１４１に挿し込み、梁用穴部３３を貫通させる。
【００４４】
そして、上方に突出したボルト５１の先端に座金５３、バネ座金５４及びナット５２を装着し、ナット５２を締結する。この段階では、図４に示すように、左右の建物ユニット１，１間にズレＤ１が存在する場合がある。
【００４５】
そこで、このズレＤ１を修正する。ズレＤ１を修正するには、位置調整棒であるシノ６の先端を右側の建物ユニット１用の梁用穴部３３に挿し込み、シノ６を傾けてさらにその先端を締結前の梁側穴１４１に挿し込む。
【００４６】
そして、てこの原理を利用して、右側の建物ユニット１を少しずつ移動させる。このようにして右側の建物ユニット１の位置を微調整することで、仮固定された連結プレート３Ａの右側の柱用穴部３２及び梁用穴部３３の位置に、ボルト穴１１１及び梁側穴１４１の位置を合わせることができる。
【００４７】
そこで、図５に示すように、右側の柱用穴部３２にバネ座金４２と座金４１を装着したボルト４を挿し込み、ボルト４の先端を右側の柱１１のボルト穴１１１にねじ込む。
【００４８】
さらに、下方から座金５３を装着したボルト５１を右側の梁側穴１４１に挿し込み、梁用穴部３３を貫通させる。そして、上方に突出したボルト５１の先端に座金５３、バネ座金５４及びナット５２を装着し、ナット５２を締結する。
【００４９】
このように２本のボルト４，４と２本のボルト５１，５１をそれぞれ所定の位置に装着した後に、ボルト４，４及びナット５２，５２を締め付けて、第１の建物ユニットの連結構造２Ａを完成させる。
【００５０】
続いて、建物ユニット１，１の桁側の連結構造となる第２の建物ユニットの連結構造２Ｂの連結方法について説明する。ここで使用される連結プレート３Ｂのプレート本体３１Ｂは、図６に示すように、プレート本体３１Ａよりも細長い短冊状の長方形の鋼板によって成形される。
【００５１】
このプレート本体３１Ｂには、柱１１，１１の上端面に設けられたボルト穴１１１，１１１に対峙させるための柱用穴部３２，３２が、中央を挟んでそれぞれ穿孔される。
【００５２】
さらに、プレート本体３１Ｂには、天井梁１３，１３の上面側となる接合枠材１４，１４に設けられた梁側穴１４１，１４１に対峙させるための梁用穴部３３，３３が、長手方向の端部付近にそれぞれ穿孔される。
【００５３】
図６に拡大して示すように、連結構造２Ｂの周辺では、柱１１，１１が隣接して配置されるとともに、連結される天井梁１３，１３が１列に桁方向に延びるように配置されている。
【００５４】
そこで、連結プレート３Ｂを、一方の建物ユニット１（図では左側）の柱１１のボルト穴１１１に、柱用穴部３２の位置を合わせて降ろす。この柱用穴部３２には、バネ座金４２と座金４１を装着したボルト４を挿し込み、ボルト４の先端をボルト穴１１１にねじ込む。
【００５５】
このとき、同じ建物ユニット１の接合枠材１４の梁側穴１４１と、連結プレート３Ｂの梁用穴部３３の位置も一致しているため、下方から座金５３を装着したボルト５１を梁側穴１４１に挿し込み、梁用穴部３３を貫通させる。
【００５６】
そして、上方に突出したボルト５１の先端に座金５３、バネ座金５４及びナット５２を装着し、ナット５２を締結する。この段階では、図７に示すように、直列に並ぶ建物ユニット１，１間にズレＤ２が存在する場合がある。
【００５７】
そこで、このズレＤ２を修正する。ズレＤ２を修正するには、シノ６の先端を右側の建物ユニット１用の梁用穴部３３に挿し込み、シノ６を傾けてさらにその先端を締結前の梁側穴１４１に挿し込む。
【００５８】
そして、てこの原理を利用して、右側の建物ユニット１を少しずつ移動させる。このようにして右側の建物ユニット１の位置を微調整することで、仮固定された連結プレート３Ｂの柱用穴部３２及び梁用穴部３３の位置に、ボルト穴１１１及び梁側穴１４１の位置を合わせることができる。
【００５９】
そこで、図８に示すように、柱用穴部３２にバネ座金４２と座金４１を装着したボルト４を挿し込み、ボルト４の先端を柱１１のボルト穴１１１にねじ込む。
【００６０】
さらに、下方から座金５３を装着したボルト５１を梁側穴１４１に挿し込み、梁用穴部３３を貫通させる。そして、上方に突出したボルト５１の先端に座金５３、バネ座金５４及びナット５２を装着し、ナット５２を締結する。
【００６１】
このように２本のボルト４，４と２本のボルト５１，５１をそれぞれ所定の位置に装着した後に、ボルト４，４及びナット５２，５２を締め付けて、第２の建物ユニットの連結構造２Ｂを完成させる。
【００６２】
続いて、４つの建物ユニット１，１，１，１の隅角部が集まる箇所の連結構造となる第３の建物ユニットの連結構造２Ｃの連結方法について説明する。ここで使用される連結プレート３Ｃのプレート本体３１Ｃは、図９に示すように、プレート本体３１Ａ又はプレート本体３１Ｂの略２倍の長方形の鋼板によって成形される。
【００６３】
このプレート本体３１Ｃには、柱１１，・・・の上端面に設けられたボルト穴１１１，・・・に対峙させるための４つの柱用穴部３２，３２，３２，３２が、中央付近にそれぞれ穿孔される。
【００６４】
さらに、プレート本体３１Ｃには、天井梁１３，・・・の上面側となる接合枠材１４，・・・に設けられた梁側穴１４１，・・・に対峙させるための４つの梁用穴部３３，３３，３３，３３が、長手方向の端部付近にそれぞれ穿孔される。
【００６５】
図９に拡大して示すように、連結構造２Ｃの周辺では、柱１１，１１，１１，１１が隣接して配置されるとともに、連結される天井梁１３，１３，１３，１３が２列で略平行に延びるように配置されている。
【００６６】
そこで、連結プレート３Ｃを、対角に配置される２つの建物ユニット１，１の柱１１，１１のボルト穴１１１，１１１に、柱用穴部３２，３２の位置を合わせて降ろす。
【００６７】
この対角となる柱用穴部３２，３２には、それぞれバネ座金４２と座金４１を装着したボルト４を挿し込み、ボルト４の先端をボルト穴１１１にねじ込む。このボルト４，４による仮固定は、前述した連結構造２Ａ，２Ｂの連結前に行われる。
【００６８】
また、同じく下方から座金５３を装着したボルト５１を、ボルト４，４がねじ込まれた側の建物ユニット１，１の梁側穴１４１にそれぞれ挿し込み、梁用穴部３３を貫通させる。
【００６９】
そして、それぞれ上方に突出したボルト５１の先端に座金５３、バネ座金５４及びナット５２を装着し、ナット５２を締結して仮固定を行う。その後、上述したように連結構造２Ａ，２Ｂの本固定を行う。
【００７０】
連結構造２Ａ，２Ｂの本固定が完了した段階では、建物ユニット１，１，１，１の位置は修正されており、４つの建物ユニット１，１，１，１は正しい位置に配置されている。
【００７１】
すなわち、連結プレート３Ｃの残りの柱用穴部３２，３２及び梁用穴部３３，３３の位置と、ボルト穴１１１，１１１及び梁側穴１４１，１４１の位置とが一致している。
【００７２】
そこで、図１０に示すように、残り２つの柱用穴部３２，３２にバネ座金４２，４２と座金４１，４１を装着したボルト４，４を挿し込み、ボルト４，４の先端を柱１１，１１のボルト穴１１１，１１１にねじ込む。
【００７３】
さらに、下方から座金５３，５３を装着したボルト５１，５１を残り２つの梁側穴１４１，１４１に挿し込み、梁用穴部３３，３３を貫通させる。そして、上方に突出したボルト５１，５１の先端に座金５３，５３、バネ座金５４，５４及びナット５２，５２を装着し、ナット５２，５２を締結する。
【００７４】
このように４本のボルト４，４，４，４と４本のボルト５１，５１，５１，５１をそれぞれ所定の位置に装着した後に、ボルト４，４，４，４及びナット５２，５２，５２，５２を締め付けて、第３の建物ユニットの連結構造２Ｃを完成させる。
【００７５】
次に、本実施の形態の連結プレート３Ａ−３Ｃ、並びにそれを使って構築される建物ユニットの連結構造２Ａ−２Ｃ及び建物ユニットの連結方法の作用について説明する。
【００７６】
このように構成された本実施の形態の連結プレート３Ａ−３Ｃは、連結させる複数の柱１１，１１（又は１１，１１，１１，１１）及び天井梁１３，１３（又は１３，１３，１３，１３）の上に配置される板状のプレート本体３１Ａ−３１Ｃと、それに穿孔される柱用穴部３２，３２（又は３２，３２，３２，３２）及び梁用穴部３３，３３（又は３３，３３，３３，３３）とを備えている。
【００７７】
このため、ボルト５１を挿入する前の梁用穴部３３を利用して建物ユニット１を移動させることで、主接合に利用される柱１１の上端面に設けられたボルト穴１１１を損傷させることなく、建物ユニット１の設置誤差を修正することができる。
【００７８】
すなわち、ボルト穴１１１にシノ６の先端を挿し込んで建物ユニット１を移動させると、シノ６から作用する力によってボルト穴１１１のネジ溝が損傷してボルト４がねじ込めなくなるおそれがある。
【００７９】
これに対して梁側穴１４１は、ボルト５１及びナット５２による接合に利用する穴であるため、シノ６で損傷したとしても、接合に影響を及ぼすことはない。
【００８０】
また、ボルト穴１１１やその他の柱１１に設けられた穴を利用してボルト穴１１１の位置を調整するのでは、調整距離が小さくなりすぎてシノ６に作用させる力の加減が難しくなる場合もあるが、梁側穴１４１を利用してボルト穴１１１の位置を調整するのであれば、一定の距離が確保されるので容易に設置誤差を修正することができる。
【００８１】
そして、２つずつ又は４つずつ柱用穴部（３２，３２又は３２，３２，３２，３２）及び梁用穴部（３３，３３又は３３，３３，３３，３３）が設けられた連結プレート３Ａ−３Ｃによって、２体又は４体の隣接する建物ユニット（１，１又は１，１，１，１）を１枚のプレート本体３１Ａ−３１Ｃによって連結することができる。
【００８２】
また、これらの連結プレート３Ａ−３Ｃを使用することで、横方向に並べられた建物ユニット１，１（又は１，１，１，１）同士を連結させた建物ユニットの連結構造２Ａ−２Ｃを、柱用穴部３２と柱１１の上端面のボルト穴１１１とを正確に合致させた状態で確実に構築することができる。
【００８３】
以上に説明したように、これらの連結プレート３Ａ−３Ｃを使用することで、主接合に利用される柱１１の上端面に設けられたボルト穴１１１を損傷させることなく建物ユニット１を移動させて、迅速に建物ユニット１，１（又は１，１，１，１）同士を連結することができる。
【実施例１】
【００８４】
以下、前記した実施の形態とは別の形態の実施例１の建物ユニットの連結構造２Ｄについて、図１１を参照しながら説明する。なお、前記実施の形態で説明した内容と同一乃至均等な部分の説明については、同一用語又は同一符号を付して説明する。
【００８５】
本実施例１の建物ユニットの連結構造２Ｄで使用する連結プレート３Ｄの構成は、前記実施の形態で第１の建物ユニットの連結構造２Ａとして説明した連結プレート３Ａと、ほぼ同じである。
【００８６】
相違点としては、連結プレート３Ｄのプレート本体３１Ｄは、連結プレート３Ａのプレート本体３１Ａよりも一回り大きな鋼板によって成形される。それ以外の構成については同じであるため、詳細な説明は省略する。
【００８７】
そして、この連結プレート３Ｄの上には、屋根フレーム１９を固定させるための固定金具７が重ねられる。屋根フレーム１９は、ユニット建物１０の屋根を構成する屋根パネル１９０の側縁を形成する部材である。
【００８８】
固定金具７は、プレート本体３１Ｄに積層させる平板部７１と、その平板部７１の縁部から立ち上げられて屋根フレーム１９の側面１９ａに接触させる立壁部７２とによって、側面視略Ｌ字形に形成される。
【００８９】
この平板部７１には、連結プレート３Ｄの柱用穴部３２に対峙させる連結側穴部７１１が穿孔される。一方、立壁部７２には、２つの取付穴部７２１，７２１が穿孔される。
【００９０】
この取付穴部７２１には、ドリルネジ７３が挿入される。座金７３１が装着されたドリルネジ７３は、屋根フレーム１９にねじ込まれて屋根パネル１９０を固定することができる。
【００９１】
一方、連結側穴部７１１には、バネ座金４２及び座金４１が装着されたボルト４が挿し込まれ、連結プレート３Ｄの柱用穴部３２を貫通したボルト４の先端は、ボルト穴１１１にねじ込まれる。
【００９２】
このように、屋根フレーム１９を固定させるための固定金具７を連結プレート３Ｄを介して一本のボルト４で柱１１に接合させることで、屋根パネル１９０の屋根フレーム１９に作用した風の吹き上げ力を、建物ユニット１の柱１１に直接、伝達させることができる。
【００９３】
また、連結プレート３Ｄによる隣接する建物ユニット１，１の連結作業と、屋根パネル１９０の建物ユニット１への固定作業を一緒に行うことができるので、効率的である。
【００９４】
なお、他の構成及び作用効果については、前記実施の形態と略同様であるので説明を省略する。
【実施例２】
【００９５】
以下、前記した実施の形態及び実施例１とは別の形態の実施例２の建物ユニットの連結構造２Ｅについて、図１２を参照しながら説明する。なお、前記実施の形態又は実施例１で説明した内容と同一乃至均等な部分の説明については、同一用語又は同一符号を付して説明する。
【００９６】
本実施例２の建物ユニットの連結構造２Ｅで使用する連結プレート８の構成は、前記実施の形態で第２の建物ユニットの連結構造２Ｂとして説明した連結プレート３Ｂに、前記実施例１で説明した固定金具７の機能を一体化させた構成と言える。
【００９７】
すなわち、連結プレート８のプレート本体８１は、平面視略長方形の鋼板によって成形されており、その１辺の一部に、略直交する方向に立ち上げられる立壁部８４が設けられる。
【００９８】
また、プレート本体８１の各建物ユニット１，１側の縁部には、リブ部８５，８５が立ち上げられる。さらに、このプレート本体８１には、柱１１，１１の上端面に設けられたボルト穴１１１，１１１に対峙させるための柱用穴部８２，８２がそれぞれ穿孔される。また、プレート本体８１には、一方の天井梁１３の上面側となる接合枠材１４に設けられた梁側穴１４１に対峙させるための梁用穴部８３が穿孔される。
【００９９】
そして、立壁部８４には、複数の取付穴部８４１，・・・が穿孔される。この取付穴部８４１には、ドリルネジ７３が挿入される。座金７３１が装着されたドリルネジ７３は、屋根フレーム１９にねじ込まれて屋根パネル１９０を固定することができる（図１１参照）。
【０１００】
このように、屋根フレーム１９を固定させるための立壁部８４が連結プレート８としてプレート本体８１と一体に設けられていれば、屋根パネル１９０の屋根フレーム１９に作用した風の吹き上げ力を、建物ユニット１の柱１１に直接、伝達させることができる。
【０１０１】
また、連結プレート８による隣接する建物ユニット１，１の連結作業と、屋根パネル１９０の建物ユニット１への固定作業を連続して行うことができるので、効率的である。
【０１０２】
この実施例２では、前記実施の形態で説明した第２の建物ユニットの連結構造２Ｂの変形例を使って説明したが、これに限定されるものではない。前記実施の形態で説明したいずれの連結構造２Ａ−２Ｃで使用する連結プレート３Ａ−３Ｃのプレート本体３１Ａ−３１Ｃの縁部にも、略直交する方向に立ち上げられる立壁部を設けて、屋根フレーム１９の固定に利用することができる。
【０１０３】
また、一枚の連結プレートにおいて複数の辺に、それぞれ立壁部を設けることもできる。この場合は、例えば隣接する屋根パネル１９０，１９０を、一枚の連結プレートで固定することができるようになる。
【０１０４】
なお、他の構成及び作用効果については、前記実施の形態又は実施例１と略同様であるので説明を省略する。
【０１０５】
以上、図面を参照して、本発明の実施の形態を詳述してきたが、具体的な構成は、この実施の形態及び実施例に限らず、本発明の要旨を逸脱しない程度の設計的変更は、本発明に含まれる。
【０１０６】
例えば、前記実施の形態及び実施例では、ユニット建物１０の最上階に隣接される建物ユニット１，・・・の連結構造２Ａ−２Ｄについて説明したが、これに限定されるものではなく、１階や３階建ての１，２階など、別の階にも適用することができる。
【符号の説明】
【０１０７】
１              建物ユニット
１１            柱（柱材）
１１１          ボルト穴
１３            天井梁（梁材）
１４            接合枠材
１４１          梁側穴
１９            屋根フレーム
２Ａ−２Ｅ      連結構造
３Ａ−３Ｄ      連結プレート
３１Ａ−３１Ｄ  プレート本体
３２            柱用穴部
３３            梁用穴部
４              ボルト
５１            ボルト
５２            ナット
６              シノ（位置調整棒）
７              固定金具
７１１          連結側穴部
８              連結プレート
８１            プレート本体
８２            柱用穴部
８３            梁用穴部
８４            立壁部
【図１】
0006581375.tif 000002
【図２】
0006581375.tif 000003
【図３】
0006581375.tif 000004
【図４】
0006581375.tif 000005
【図５】
0006581375.tif 000006
【図６】
0006581375.tif 000007
【図７】
0006581375.tif 000008
【図８】
0006581375.tif 000009
【図９】
0006581375.tif 000010
【図１０】
0006581375.tif 000011
【図１１】
0006581375.tif 000012
【図１２】
0006581375.tif 000013